(57)【要約】【課題】  乾燥槽と通風槽から成る本体槽を一方に傾倒させて乾燥槽に収容堆積した穀物を容易に搬出することができるとともに、本体槽を水平姿勢から傾倒姿勢まで常に架台上に支持される状態を保って姿勢の安定を図り、作業性と安全性をともに向上させることができる穀物乾燥装置を提供する。【解決手段】  乾燥装置１は、被乾燥穀物を乾燥槽に収容堆積して通風乾燥するものである。乾燥装置１は、上部の乾燥槽２と下部の通風槽３とを一体とした本体槽４と、この本体槽４を載置する架台５とで構成される。本体槽４と架台５のそれぞれの一側部の対向面６，７は一側端方向に円弧状に拡開状に傾斜させてある。架台５に載置した本体槽４は、架台５上で常時水平姿勢に保持されるとともに、水平姿勢から対向面６，７の傾斜にしたがって一端側に傾倒可能に構成されている。【選択図】        図１
2005188797.tif 000002
【特許請求の範囲】
【請求項１】
被乾燥穀物を乾燥槽に収容堆積して通風乾燥する穀物乾燥装置であって、上部の乾燥槽と下部の通風槽とを一体とした本体槽と、この本体槽を載置する架台とで構成され、本体槽と架台のそれぞれの一側部の対向面は一側端方向に拡開状に傾斜させてあり、架台に載置した本体槽は架台上で常時水平姿勢に保持されるとともに、水平姿勢から上記対向面の傾斜にしたがって一端側に傾倒可能に構成されていることを特徴とする穀物乾燥装置。
【請求項２】
本体槽と架台のそれぞれの一側部の対向面は円弧状に傾斜させてあることを特徴とする請求項１に記載の穀物乾燥装置。
【請求項３】
本体槽と架台のそれぞれの対向面は、少なくともその一側部が互いに噛み合う凹凸嵌合構造となっていることを特徴とする請求項１または２に記載の穀物乾燥装置。
【請求項４】
本体槽の下部と架台との間に、本体槽が水平姿勢から一端側への傾倒姿勢変更またはその逆の姿勢変更を妨げず、かつ架台上で本体槽の横方向への位置ずれを防止する支持構造を備えたことを特徴とする請求項１ないし３のいずれかに記載の穀物乾燥装置。
【請求項５】
本体槽の乾燥槽はその傾倒方向の一側面が開閉構造を成しているとともに傾倒方向の一側面が全開時にはその上面が乾燥糟の床面と同一面になるように形成されていることを特徴とする請求項１ないし４のいずれかに記載の穀物乾燥装置。
【請求項６】
架台上で傾倒する本体槽の重心が、架台と本体槽の対向面の接点を通る鉛直線上に常に位置するように構成されていることを特徴とする請求項１ないし５のいずれかに記載の穀物乾燥装置。
【請求項７】
本体槽が架台上で傾倒する傾倒最大角は収容されている穀物の安息角をやや超える角度であり、本体槽の収容穀物が満量状態で上記傾倒最大角における本体槽の重心位置は本体槽の姿勢が安定する高さにあるように構成されていることを特徴とする請求項１ないし６のいずれかに記載の穀物乾燥装置。
【請求項８】
本体槽の上部を成す乾燥槽はその上面が開放状であって排気ダクトを取り付けた乾燥槽の上面蓋体を備えており、乾燥槽に対して上面蓋体を被蓋および開蓋自在としてあることを特徴とする請求項１ないし７のいずれかに記載の穀物乾燥装置。
【請求項９】
本体槽を載置した架台は移動のための可動手段を備えていることを特徴とする請求項１ないし８のいずれかに記載の穀物乾燥装置。
【請求項１０】
本体槽を載置した架台の可動手段は、架台に取り付けた車輪と設置面に敷設した車輪を受けるレールとで成ることを特徴とする請求項９に記載の穀物乾燥装置。
【請求項１１】
レールは被乾燥穀物の乾燥位置とその投入排出位置の間に敷設されており、本体槽を載置した架台はその間を往復自在であることを特徴とする請求項１０に記載の穀物乾燥装置。
【請求項１２】
排気ダクトを取り付けた乾燥槽の上面蓋体は乾燥位置において被蓋状態に配設されており、本体槽を載置した架台を乾燥位置に移動させた際に本体槽の乾燥槽上面が上面蓋体で被蓋されるように成っていることを特徴とする請求項９ないし１１のいずれかに記載の穀物乾燥装置。
【発明の詳細な説明】
【技術分野】
【０００１】
本発明は、被乾燥穀物を乾燥槽に収容堆積して通風乾燥する穀物乾燥装置に関するものである。
【背景技術】
【０００２】
籾などの被乾燥穀物を底面が多孔板や網板で構成され、かつ上面が開放している乾燥箱に収容堆積して、底面からの通風により通風乾燥する、いわゆる平形静置乾燥機は、構造が簡素であって簡便に使用できるものであるが、乾燥箱は、上面が開放した箱体であるところから、乾燥箱に収容堆積した穀物を取り出すにはシャベルなどの掬い具を用いていちいち掬い出さなければならず、作業性において劣るものであることは否めなかった。なお、平形静置乾燥機の乾燥箱は実公昭３９−３４７２号公報に、平形静置乾燥機については特開昭４７−４２１６４号公報にそれぞれ記載されている。
【特許文献１】実公昭３９−３４７２号公報
【特許文献２】特開昭４７−４２１６４号公報
【発明の開示】
【発明が解決しようとする課題】
【０００３】
ところで、前掲の特開昭４７−４２１６４号公報において紹介されている穀物乾燥機においては、乾燥箱の底板を中央集中傾斜形とし、かつその空気吹出口を下方からの通風が上面付近において中央に集中する形態にして、乾燥箱の排出口からの穀物搬出を容易にする工夫がなされているが、構成が複雑化する反面必ずしも穀物の搬出性にすぐれたものではなかった。
【０００４】
本発明は、この種の穀物乾燥機における問題点に鑑み、上部の乾燥槽と下部の通風槽とを一体とした本体槽と、この本体槽を載置する架台とで構成し、本体槽と架台のそれぞれの一側部の対向面を一側端方向に拡開状に傾斜させて、架台に載置した本体槽を架台上で水平姿勢から上記対向面の傾斜にしたがって一端側に傾倒可能に構成したことにより、本体槽を一方に傾倒させて乾燥槽に収容堆積した穀物を容易に搬出することができるとともに、本体槽を水平姿勢から傾倒姿勢まで常に架台上に支持される状態を保って姿勢の安定を図り、作業性と安全性をともに向上させた穀物乾燥装置を提供することを目的とするものである。
【課題を解決するための手段】
【０００５】
上記目的を達成するための本発明の請求項１に係る穀物乾燥装置は、被乾燥穀物を乾燥槽に収容堆積して通風乾燥する穀物乾燥装置であって、上部の乾燥槽と下部の通風槽とを一体とした本体槽と、この本体槽を載置する架台とで構成され、本体槽と架台のそれぞれの一側部の対向面は一側端方向に拡開状に傾斜させてあり、架台に載置した本体槽は架台上で常時水平姿勢に保持されるとともに、水平姿勢から上記対向面の傾斜にしたがって一端側に傾倒可能に構成されていることを特徴とするものである。
【０００６】
また、本発明の請求項２に係る穀物乾燥装置は、請求項１に記載の構成において、本体槽と架台のそれぞれの一側部の対向面は円弧状に傾斜させてあることを特徴とするものである。
【０００７】
本発明の請求項３に係る穀物乾燥装置は、請求項１または２に記載の構成において、本体槽と架台のそれぞれの対向面は、少なくともその一側部が互いに噛み合う凹凸嵌合構造となっていることを特徴とするものである。
【０００８】
本発明の請求項４に係る穀物乾燥装置は、請求項１ないし３のいずれかに記載の構成において、本体槽の下部と架台との間に、本体槽が水平姿勢から一端側への傾倒姿勢変更またはその逆の姿勢変更を妨げず、かつ架台上で本体槽の横方向への位置ずれを防止する支持構造を備えたことを特徴とするものである。
【０００９】
本発明の請求項５に係る穀物乾燥装置は、請求項１ないし４のいずれかに記載の構成において、本体槽の乾燥槽はその傾倒方向の一側面が開閉構造を成しているとともに傾倒方向の一側面が全開時にはその上面が乾燥糟の床面と同一面になるように形成されていることを特徴とするものである。
【００１０】
本発明の請求項６に係る穀物乾燥装置は、請求項１ないし５のいずれかに記載の構成において、架台上で傾倒する本体槽の重心が、架台と本体槽の対向面の接点を通る鉛直線上に常に位置するように構成されていることを特徴とするものである。
【００１１】
本発明の請求項７に係る穀物乾燥装置は、請求項１ないし６のいずれかに記載の構成において、本体槽が架台上で傾倒する傾倒最大角は収容されている穀物の安息角をやや超える角度であり、本体槽の収容穀物が満量状態で上記傾倒最大角における本体槽の重心位置は本体槽の姿勢が安定する高さにあるように構成されていることを特徴とするものである。
【００１２】
本発明の請求項８に係る穀物乾燥装置は、請求項１ないし７のいずれかに記載の構成において、本体槽の上部を成す乾燥槽はその上面が開放状であって排気ダクトを取り付けた乾燥槽の上面蓋体を備えており、乾燥槽に対して上面蓋体を被蓋および開蓋自在としてあることを特徴とするものである。
【００１３】
本発明の請求項９に係る穀物乾燥装置は、請求項１ないし８のいずれかに記載の構成において、本体槽を載置した架台は移動のための可動手段を備えていることを特徴とするものである。
【００１４】
本発明の請求項１０に係る穀物乾燥装置は、請求項９に記載の構成において、本体槽を載置した架台の可動手段は、架台に取り付けた車輪と設置面に敷設した車輪を受けるレールとで成ることを特徴とするものである。
【００１５】
本発明の請求項１１に係る穀物乾燥装置は、請求項１０に記載の構成において、レールは被乾燥穀物の乾燥位置とその投入排出位置の間に敷設されており、本体槽を載置した架台はその間を往復自在であることを特徴とするものである。
【００１６】
本発明の請求項１２に係る穀物乾燥装置は、請求項８ないし１１のいずれかに記載の構成において、排気ダクトを取り付けた乾燥槽の上面蓋体は乾燥位置において被蓋状態に配設されており、本体槽を載置した架台を乾燥位置に移動させた際に本体槽の乾燥槽上面が上面蓋体で被蓋されるように成っていることを特徴とするものである。
【発明の効果】
【００１７】
本発明に係る穀物乾燥装置によれば、上部の乾燥槽と下部の通風槽とを一体とした本体槽と架台のそれぞれの一側部の対向面を一側端方向に拡開状に傾斜させて、架台に載置した本体槽を架台上で水平姿勢から対向面の傾斜にしたがって一端側に傾倒可能に構成したことにより、本体槽を一方に傾倒させて乾燥槽に収容堆積した穀物を容易に搬出することができるとともに、本体槽を水平姿勢から傾倒姿勢まで常に架台上に支持される状態を保って姿勢の安定を図り、作業性と安全性をともに向上させることができる。
【発明を実施するための最良の形態】
【００１８】
図１は本発明の一実施の形態に係る穀物乾燥装置の一部を破断して示す全体斜視図、図２は同上断面図、図３は本体槽を一端側に傾倒させた態様を示す断面図、図４は同上穀物搬出態様を示す一部の斜視図、図５は本体槽の傾倒時における作用説明図、図６は本体槽の一部の断面図、図７は同上本体槽の一端側の側壁を最大開放状態を示す断面図、図８は本発明の他の実施の形態に係る穀物乾燥装置を示す斜視図、図９は穀物搬出態様を示す斜視図である。
【００１９】
図１ないし図５において、本発明に係る穀物乾燥装置１は、被乾燥穀物を乾燥槽に収容堆積して通風乾燥するものであって、上部の乾燥槽２と下部の通風槽３とを一体とした本体槽４と、この本体槽４を載置する架台５とで構成されている。本体槽４と架台５のそれぞれの一側部の対向面は一側端方向に拡開状に傾斜させてあり、６，７はその傾斜した対向面である。架台５に載置した本体槽４は架台５上で常時水平姿勢に保持されるとともに、水平姿勢から上記対向面６，７の傾斜にしたがって一端側に傾倒可能に構成されている。図示の実施の形態においては、本体槽４と架台５のそれぞれの一側部の対向面６，７は円弧状に傾斜させてあり、対向面６，７が円弧状に傾斜させることにより、架台５上において本体槽４の一端側への傾倒が滑らかに、しかも安定姿勢を保つことができる。
【００２０】
本体槽４と架台５のそれぞれの対向面６，７には互いに噛み合う凹凸嵌合構造８を成しており、本体槽４側の対向面６には突起９が列状に、架台５側の対向面７には孔（透孔または凹孔）１０が列状形成されている。なおこの突起９と孔１０は逆に設けてもかまわない。本体槽４と架台５との間には本体槽４を一端側に傾倒させるための電動、エアーまたは油圧等のシリンダー１１が装備されている。
【００２１】
本体槽４の下部と架台５との間には、本体槽４が水平姿勢から一端側への傾倒姿勢変更またはその逆の姿勢変更を妨げず、かつ架台５上で本体槽４の横方向への位置ずれを防止する支持構造１２を備えている。この支持構造１２は、本体槽４側と架台５側にそれぞれピン受１３，１４を設けて、これらピン受１３，１４間にスライドピン１５を介在させた構成である。上記支持構造１２は本体槽４と架台５の前後に一対備えていて、本体槽４の横方向への位置ずれを確実に防止するようにしてある。
【００２２】
本体槽４の乾燥槽２はその傾倒方向の一側面の側壁１６が開閉構造を成している。すなわち、図６および図７に示すように、本体槽４の側壁１６は、本体槽４の底面１７の一端縁をヒンジとして外方向に底面１７と同一面平面を成すように開くものであって、閉じている状態および底面１７と同一面平面を成すように開いた状態において底面１７と側壁１６の下端との間がシール状態を保つようにシール材１６ａが介在させてある。１６ｂはヒンジである。なお、上記側壁１６の前後端には本体槽４の前後壁に対応する重なり壁１８を有していて、開閉構造の側壁１６と本体槽４の前後壁との間が密構造として穀物の洩れが生じないようにするとともに、開いた状態では穀物の搬出案内樋となるようにしてある。
【００２３】
本体槽４の乾燥槽２と通風槽３を区画する乾燥槽２の底面１７は多孔板で構成されており、通風槽３から送風される乾燥風が乾燥槽２を下から上に吹き抜けるようにしてあり、通風槽３はバーナ１９および送風機２０を備えていて、加温した乾燥風を起成して乾燥槽２に所定温度に加温された乾燥風を供給するように成っている。２１は制御操作盤である。
【００２４】
本体槽４を載置した架台５は移動のための可動手段として四隅部に車輪２２を備えていて、この４つの車輪２２により、本体槽４を載置した架台５は、図８および図９に示すように、被乾燥穀物の乾燥位置Ａとその投入排出位置Ｂ間の設置面に敷設したレール２３上を往復自在である。
【００２５】
本体槽４の上部を成す乾燥槽２はその上面が開放状であって、図８に示すように、乾燥位置Ａには、排気ダクト２４を取り付けた上面蓋体２５を設備しており、乾燥位置Ａにおいては乾燥槽２に対して上面蓋体２５が被蓋され、乾燥槽２の乾燥排気は排気ダクト２４を通して排出するようにしてある。なお、排気ダクト２４を通して排気を吸引するようにしてもよい。
【００２６】
本発明に係る穀物乾燥装置１においては、図５に示すように、本体槽４が架台５上で傾倒する傾倒最大角αは、収容されている穀物の安息角をやや超える角度であり、本体槽４の収容穀物Ｃが満量状態で上記傾倒最大角αにおける本体槽４の重心位置Ｄは、本体槽４の姿勢が安定する高さにあるように構成されている。この状態における架台５に対する本体槽４の接点位置はＥである。
【００２７】
そして、上記のように架台５上で傾倒する本体槽４の重心位置Ｄは、架台５と本体槽４の対向面６，７の接点Ｅを通る鉛直線Ｆ上に常に位置するように構成されているので、本体槽４はそれが急速に傾倒最大角αまで傾倒させても、架台５上の本体槽４は安定した姿勢を保ち、常に安全性が確保させる。
【産業上の利用可能性】
【００２８】
本発明に係る穀物乾燥装置は、本体槽を一方に傾倒させて乾燥槽に収容堆積した被乾燥物を容易に搬出することができるので、籾のほか小麦や大麦などの麦類、大豆や小豆などの豆類その他の穀物はもとより、シラス、コウナゴ、小エビなどの魚介類、おが屑や籾殻などの乾燥にも好適であり、広範囲な分野での利用拡大が期待できるものである。
【図面の簡単な説明】
【００２９】
【図１】本発明の一実施の形態に係る穀物乾燥装置の一部を破断して示す全体斜視図である。
【図２】同上断面図である。
【図３】本体槽を一端側に傾倒させた態様を示す断面図である。
【図４】同上穀物搬出態様を示す一部の斜視図である。
【図５】本体槽の傾倒時における作用説明図である。
【図６】本体槽の一部の断面図である。
【図７】同上本体槽の一端側の側壁の最大開放状態を示す断面図である。
【図８】本発明の他の実施の形態に係る穀物乾燥装置を示す斜視図である。
【図９】穀物搬出態様を示す斜視図である。
【符号の説明】
【００３０】
１  穀物乾燥装置
２  乾燥槽
３  通風槽
４  本体槽
５  架台
６，７  対向面
８  凹凸嵌合構造
９  突起
１０  孔（透孔または凹孔）
１１  シリンダー
１２  支持構造
１３，１４  ピン受
１５  スライドピン
１６  側壁
１６ａ  シール材
１６ｂ  ヒンジ
１７  底面
１８  重なり壁
１９  バーナ
２０  送風機
２１  制御操作盤
２２  車輪
２３  レール
２４  排気ダクト
２５  上面蓋体
Ａ  乾燥位置
Ｂ  搬出位置
Ｃ  収容穀物
Ｄ  重心位置
Ｅ  接点位置
Ｆ  鉛直線
α  傾倒最大角
【図１】
2005188797.tif 000003
【図２】
2005188797.tif 000004
【図３】
2005188797.tif 000005
【図４】
2005188797.tif 000006
【図５】
2005188797.tif 000007
【図６】
2005188797.tif 000008
【図７】
2005188797.tif 000009
【図８】
2005188797.tif 000010
【図９】
2005188797.tif 000011